(57)【要約】      （修正有）【課題】毛髪に超音波、マイナスイオンを作用させつつパーマ剤やストレートパーマ剤の髪への浸透を良好にすることができる毛髪トリートメント装置。【解決手段】毛髪トリートメント装置１は、基端側を軸支部５により開閉可能に軸支され、対向面間に毛髪を挟み込むとともに、各対向面に髪押圧部３ａ、髪受部４ａを設けた一対のトリートメント握り片３、４と、一方のトリートメント握り片３に内蔵され、髪押圧部３ａを経て挟み混まれた毛髪に作用させる超音波発生手段、及び毛髪に作用させるイオン発生手段と、各々電力供給を行う電力供給部１１と、超音波発生手段及びイオン発生手段の動作選択を行うスイッチ類及び動作状態を示す表示ランプ類を備えた操作部６と、一方のトリートメント握り片３と、他方のトリートメント握り片４との双方にわたって組み込まれ、開、閉操作に連動して動作停止、始動を行う動作スイッチとを有する。【選択図】図１
2010194127.tif 000002
【特許請求の範囲】
【請求項１】
各々基端側を軸支部により開閉可能に軸支され、各突出側の対向面側を当接、解放可能として対向面間に毛髪を挟み込むとともに、各対向面に超音波振動子を含む髪押圧部、髪受部を設けた一対のトリートメント握り片と、
前記トリートメント握り片に内蔵され、前記髪押圧部を経て挟み混まれた毛髪に超音波振動を作用させる超音波発生手段、及び、前記毛髪にマイナスイオンを作用させるイオン発生手段と、
商用電源に接続されることで前記一方のトリートメント握り片に内蔵した前記超音波発生手段、前記イオン発生手段に各々電力供給を行う電力供給部と、
前記超音波発生手段及びイオン発生手段の動作選択を行うスイッチ類を備えた操作部と、
前記一対のトリートメント握り片の開、閉に連動して前記超音波発生手段及びイオン発生手段の動作停止、始動を行う動作スイッチと、
を有することを特徴とする毛髪トリートメント装置。
【請求項２】
各々基端側を軸支部により開閉可能に軸支され、各突出側の対向面側を当接、解放可能として対向面間に毛髪を挟み込むとともに、各対向面に長方形状の超音波振動子を含む髪押圧部、髪受部を設けた各々略直方体状の一対のトリートメント握り片と、
一方のトリートメント握り片に内蔵され、前記髪押圧部を経て挟み混まれた毛髪に超音波振動を作用させる超音波発生手段、及び、前記毛髪にマイナスイオンを作用させるイオン発生手段と、
商用電源に接続されることで前記一方のトリートメント握り片に内蔵した前記超音波発生手段、前記イオン発生手段に各々電力供給を行う電力供給部と、
前記超音波発生手段及びイオン発生手段の動作選択を行うスイッチ類及び動作状態を示す表示ランプ類を備えた操作部と、
前記一方のトリートメント握り片と、他方のトリートメント握り片との双方にわたって組み込まれ、前記一対のトリートメント握り片の開、閉に連動して前記超音波発生手段及びイオン発生手段の動作停止、始動を行う動作スイッチと、
を有することを特徴とする毛髪トリートメント装置。
【請求項３】
各々基端側を軸支部により開閉可能に軸支され、各突出側の対向面側を当接、解放可能として対向面間に毛髪を挟み込むとともに、各対向面に長方形状の超音波振動子を含む髪押圧部、髪受部を設けた各々略直方体状の一対のトリートメント握り片と、
一方のトリートメント握り片に内蔵され、前記髪押圧部を経て挟み混まれた毛髪に超音波振動を作用させる超音波発生手段、及び、前記毛髪にマイナスイオンを作用させるイオン発生手段と、
商用電源に接続されるＡＣプラグ、ＡＣ・ＤＣアダプタ、電源ケーブル、前記一方のトリートメント握り片に内蔵した前記超音波発生手段、前記イオン発生手段に各々電力供給を行う電源回路部を具備する電力供給部と、
一方のトリートメント握り片に搭載した前記超音波発生手段及びイオン発生手段の動作選択を行う超音波スイッチ、イオンスイッチからなるスイッチ類及び超音波発生ランプ、マイナスイオン発生ランプを含む表示ランプ類を備えた操作部と、
前記一方のトリートメント握り片と、他方のトリートメント握り片との双方にわたって組み込まれ、前記一対のトリートメント握り片の開、閉に連動して前記超音波発生手段及びイオン発生手段の動作停止、始動を行う動作スイッチと、
を有することを特徴とする毛髪トリートメント装置。
【発明の詳細な説明】
【技術分野】
【０００１】
本発明は、何等の頭髪栄養剤を使用することなく、毛髪に超音波、マイナスイオンを作用させつつ毛髪を簡略、かつ、適正にトリートメントすることができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる新規で斬新な毛髪トリートメント装置に関するものである。
【背景技術】
【０００２】
従来から毛髪にトリートメント溶液を用いながらトリートメントするための各種毛髪トリートメント装置が開発され提案されている。
【０００３】
例えば、特許文献１には、毛髪へ有効成分を付与する際の前処理溶液あるいは後処理溶液であるトリートメント溶液（適宜の頭髪栄養剤）を用いて、握り柄の先端側における内面の毛髪挟持部の先端に超音波ミスト生成部とその内面にミスト噴出口を配設して、握り柄の先端側における内面の長手方向にイオン化用電極と遠赤外線照射面を並置し、握り柄基部後端に外部の制御電源装置に接続する配線コードを設けたトリートメント器具と、イオン化回路部、遠赤外線発生用電源部及び超音波発生用電源部を内蔵し、トリートメント器具のイオン化用電極と反対極性のイオン化用電極面を先端に有するイオン導入用配線コードを具備する制御電源装置とを備えた毛髪への有効成分のイオン導入及び遠赤外線付与トリートメント装置が提案されている。
【０００４】
しかし、このトリートメント装置は、トリートメント器具の握り柄側に超音波ミスト生成部、イオン化用電極、遠赤外線照射面を設け、制御電源装置側にイオン化回路部、遠赤外線発生用電源部及び超音波発生用電源部を内蔵した等の極めて複雑な構成からなるものである。
【先行技術文献】
【特許文献】
【０００５】
【特許文献１】特開２００６−８７６２８号公報
【発明の概要】
【発明が解決しようとする課題】
【０００６】
本発明が解決しようとする問題点は、何等の頭髪栄養剤を使用することなく、毛髪に超音波、マイナスイオンを作用させつつ毛髪を簡略、かつ、適正にトリートメントすることができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる簡略構成の毛髪トリートメント装置が存在しない点である。
【課題を解決するための手段】
【０００７】
本発明に係る毛髪トリートメント装置は、各々基端側を軸支部により開閉可能に軸支され、各突出側の対向面側を当接、解放可能として対向面間に毛髪を挟み込むとともに、各対向面に超音波振動子を含む髪押圧部、髪受部を設けた一対のトリートメント握り片と、一方のトリートメント握り片に内蔵され、前記髪押圧部を経て挟み混まれた毛髪に超音波振動を作用させる超音波発生手段、及び前記毛髪にマイナスイオンを作用させるイオン発生手段と、商用電源に接続されることで前記一方のトリートメント握り片に内蔵した前記超音波発生手段、前記イオン発生手段に各々電力供給を行う電力供給部と、前記超音波発生手段及びイオン発生手段の動作選択を行うスイッチ類を備えた操作部と、前記一対のトリートメント握り片の開、閉に連動して前記超音波発生手段及びイオン発生手段の動作停止、始動を行う動作スイッチと、を有することを最も主要な特徴とする。
【発明の効果】
【０００８】
請求項１記載の発明によれば、トリートメント実行者が一対のトリートメント握り片の握り込みで毛髪を挟んだまま、この一対のトリートメント握り片を例えば毛髪の長さ方向に沿って移動させる簡略操作を行うだけで、何等の頭髪栄養剤を使用することなく、超音波振動による毛髪の豊潤軟化と毛髪へのマイナスイオン浸透によるキューティクル改善作用、コルテックス改善作用が進行し、これにより毛髪の簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる新規で斬新な毛髪トリートメント装置を実現し提供することができる。
【０００９】
請求項２記載の発明によれば、請求項１記載の発明と同様、トリートメント実行者が一対のトリートメント握り片の握り込みで毛髪を挟んだまま、この一対のトリートメント握り片を例えば毛髪の長さ方向に沿って移動させる簡略操作を行うだけで、超音波振動による毛髪の豊潤軟化と毛髪へのマイナスイオン浸透によるキューティクル改善作用、コルテックス改善作用が進行し、これにより何等の頭髪栄養剤を使用することなく、毛髪の簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができ、しかも、超音波発生手段及びイオン発生手段の動作状態も視認できる新規で斬新な毛髪トリートメント装置を実現し提供することができる。
【００１０】
請求項３記載の発明によれば、請求項２記載の発明と同様、トリートメント実行者が一対のトリートメント握り片の握り込みで毛髪を挟んだまま、この一対のトリートメント握り片を例えば毛髪の長さ方向に沿って移動させる簡略操作を行うだけで、超音波振動による毛髪の豊潤軟化と毛髪へのマイナスイオン浸透によるキューティクル改善作用、コルテックス改善作用が進行し、これにより何等の頭髪栄養剤を使用することなく、毛髪の簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができ、しかも、超音波発生手段及びイオン発生手段の動作状態も視認でき、更に超音波発生手段及びイオン発生手段の動作選択も容易な新規で斬新な毛髪トリートメント装置を実現し提供することができる。
【図面の簡単な説明】
【００１１】
【図１】本発明の実施例に係る毛髪トリートメント装置の概略斜視図である。
【図２】本実施例に係る毛髪トリートメント装置の開状態の概略斜視図である。
【図３】本実施例に係る毛髪トリートメント装置の閉状態の概略斜視図である。
【図４】本実施例に係る毛髪トリートメント装置の操作部の部分拡大図である。
【図５】本実施例に係る毛髪トリートメント装置の全体構成の概略ブロック図である。
【図６】本実施例に係る毛髪トリートメント装置の動作説明図である。
【発明を実施するための形態】
【００１２】
本発明は、何等の頭髪栄養剤を使用することなく、毛髪に超音波、マイナスイオンを作用させつつ毛髪を簡略、かつ、適正にトリートメントすることができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる新規で斬新な毛髪トリートメント装置を実現し提供するという目的を有するものである。
【００１３】
本発明に係る毛髪トリートメント装置は、各々基端側を軸支部により開閉可能に軸支され、各突出側の対向面側を当接、解放可能として対向面間に毛髪を挟み込むとともに、各対向面に長方形状の超音波振動子を含む髪押圧部、髪受部を設けた各々略直方体状の一対のトリートメント握り片と、一方のトリートメント握り片に内蔵され、前記髪押圧部を経て挟み混まれた毛髪に超音波振動を作用させる超音波発生手段、及び、前記毛髪にマイナスイオンを作用させるイオン発生手段と、商用電源に接続されるＡＣプラグ、ＡＣ・ＤＣアダプタ、電源ケーブル、前記一方のトリートメント握り片に内蔵した前記超音波発生手段、前記イオン発生手段に各々電力供給を行う電源回路部を具備する電力供給部と、一方のトリートメント握り片に搭載した前記超音波発生手段及びイオン発生手段の動作選択を行う超音波スイッチ、イオンスイッチからなるスイッチ類及び超音波発生ランプ、マイナスイオン発生ランプを含む表示ランプ類を備えた操作部と、前記一方のトリートメント握り片と、前記他方のトリートメント握り片との双方にわたって組み込まれ、前記一対のトリートメント握り片の開、閉に連動して前記超音波発生手段及びイオン発生手段の動作停止、始動を行う動作スイッチと、を有する構成としたことにより上記目的を実現した。
【実施例】
【００１４】
以下に、本発明の実施例に係る毛髪トリートメント装置について、添付の図１乃至図６を参照して詳細に説明する。
本実施例に係る毛髪トリートメント装置１は、図１乃至図５に示すように、各々基端側を略円筒状の軸支部５により開閉可能に軸支され、各突出側の対向面側を当接、解放可能として対向面間に毛髪Ｈを挟み込むとともに、各対向面に長方形状の超音波振動子を含む髪押圧部３ａ、髪受部４ａを設けた各々略直方体状の一対のトリートメント握り片３、４を有する装置本体２を具備している。また、前記髪押圧部３ａは、マイナスイオンを放射するように構成している。
【００１５】
前記一対のトリートメント握り片３、４のうちの例えば一方のトリートメント握り片３には、図５に示すように、前記髪押圧部３ａを経て、すなわち、髪押圧部３ａを超音波振動させて挟み混まれた毛髪Ｈに超音波振動を作用させる例えば１ＭＨｚの超音波を発生する超音波発生手段２１、及び、前記前記髪押圧部３ａを経て毛髪Ｈに例えば１ｃｃ当たり１００万個のマイナスイオンを作用させるイオン発生手段２２を内蔵している。
【００１６】
また、前記装置本体２の外部及び内部にわたって、電力供給部１１を設けている。
すなわち、電力供給部１１は、例えば商用電源であるＡＣ１００Ｖのコンセントに接続されるＡＣプラグ１２、ＡＣ・ＤＣアダプタ１３、これらＡＣプラグ１２、ＡＣ・ＤＣアダプタ１３を経て装置本体２に接続した電源ケーブル１４を具備するとともに、前記一方のトリートメント握り片３に内蔵した前記超音波発生手段２１、前記イオン発生手段２２に各々所要の電力供給を行う電源回路部２３を具備している。
【００１７】
更に前記毛髪トリートメント装置１は、一方のトリートメント握り片３の外面に表出するように搭載した前記超音波発生手段２１及びイオン発生手段２２の動作選択を行う押しボタン式の超音波スイッチ１５、イオンスイッチ１６からなるスイッチ類及び超音波発生ランプ１５ａ（例えば赤色ランプ）、マイナスイオン発生ランプ１６ａを含む表示ランプ類を備えた操作部６と、前記一方のトリートメント握り片３と、他方のトリートメント握り片４との双方にわたって組み込まれ、前記一対のトリートメント握り片３、４の開、閉に連動して前記超音波発生手段２１及びイオン発生手段２２の動作停止、始動を行う動作スイッチ７と、を有している。
【００１８】
前記表示ランプ類は、上述した超音波発生ランプ１５ａ、マイナスイオン発生ランプ１６ａの他に、前記マイナスイオン発生ランプ１６ａに並設したイオンランプ１６ｂ、プラスイオン発生ランプ１６ｃ、正常な作動時にランプがつくように構成した電源ランプ１７を含んでいる。
【００１９】
そして、イオンスイッチ１６を順に複数回押下することにより、イオン発生手段２２の動作を切り換え、マイナスイオン発生ランプ１６ａの点灯状態でのマイナスイオン発生状態、プラスイオン発生ランプ１６ｃの点灯状態でのプラスイオン発生状態、イオンランプ１６ｂの点灯、電源ランプ１７の点灯、消灯状態でのイオン発生手段２２の動作、動作停止の切り換えを行うように構成している。
【００２０】
また、超音波発生ランプ１５ａは、順に押下することで、前記超音波発生ランプ１５ａの点灯状態での超音波発生状態、超音波発生ランプ１５ａの消灯状態での超音波発生停止状態の切り換えを行うように構成している。
【００２１】
前記動作スイッチ７は、他方のトリートメント握り片４に設けた突片８と、一方のトリートメント握り片３に設けられ中心部に突片８が挿通する抜穴を設けた偏平円板９と、一方のトリートメント握り片３内に内蔵された図示しないが前記突片８との接触、離脱でオンオフするスイッチ部とを具備し、前記一対のトリートメント握り片３、４の図２、図３に示す開又は閉の状態に連動して前記超音波発生手段２１及びイオン発生手段２２の動作停止、始動を行うように構成している。
【００２２】
図５は、本実施例に係る毛髪トリートメント装置１の全体構成を示すブロック図であり、ＡＣプラグ１２、ＡＣ・ＤＣアダプタ１３を電源ケーブル１４を介して装置本体２に接続している。電源ケーブル１４の装置本体２への接続部分には、電源ケーブル１４の絡みを防止するための絡み防止接続機構部１４ａを採用している。
【００２３】
また、前記装置本体２に超音波発生手段２１、イオン発生手段２２、電源回路部２３を内蔵するとともに、装置本体２全体の動作プログラムを格納したプログラムメモリ２４、全体の制御を行う制御部２５を搭載している。
【００２４】
そして、前記制御部２５に前記超音波スイッチ１５、前記イオンスイッチ１６、前記動作スイッチ７、超音波発生手段２１、イオン発生手段２２を接続し、更に、制御部２５に前記超音波発生ランプ１５ａ、マイナスイオン発生ランプ１６ａ、イオンランプ１６ｂ、プラスイオン発生ランプ１６ｃを接続し、前記制御部２５によりこれら各要素の動作制御を実行するように構成している。
【００２５】
また、前記電源回路部２３から制御部２５、超音波発生手段２１、イオン発生手段２２等に所要の電力供給を行うように構成している。
【００２６】
次に、図６をも参照して、本実施例に係る毛髪トリートメント装置１の動作について説明する。
【００２７】
本実施例に係る毛髪トリートメント装置１により毛髪Ｈ（例えば頭髪）のトリートメントを実行するに際して、まず、ＡＣ１００ＶのコンセントにＡＣプラグ１２を接続する。そして、前記超音波スイッチ１５を操作して超音波発生ランプ１５ａの点灯、電源ランプ１７の点灯状態での超音波発生状態とするとともに、イオンスイッチ１６を操作してマイナスイオン発生ランプ１６ａの点灯状態でのマイナスイオン発生状態とする。
【００２８】
この状態で、一対のトリートメント握り片３、４を片手に持ち、トリートメント握り片３、４の髪押圧部３ａ、髪受部４ａの間に任意本数の毛髪Ｈ（例えば頭髪）を挿入し、一対のトリートメント握り片３、４を握り込む。
【００２９】
これにより、図６に示すように、髪押圧部３ａ、髪受部４ａの間に任意本数の毛髪Ｈが挟み込まれるとともに、一対のトリートメント握り片３、４を握り込みに連動して前記動作スイッチ７がオンとなり、前記超音波発生手段２１及びイオン発生手段２２が動作を開始し、前記超音波振動子を含む髪押圧部３ａを経て、すなわち、超音波発生手段２１が髪押圧部３ａを超音波振動させて挟み混まれた毛髪Ｈに超音波振動を作用させ、同時にイオン発生手段２２が前記髪押圧部３ａを経て毛髪Ｈにマイナスイオンを作用させる。
【００３０】
このとき、トリートメント実行者は、一対のトリートメント握り片３、４を握り込みを行ったまま、一対のトリートメント握り片３、４を例えば毛髪Ｈの長さ方向に沿って移動させる。
【００３１】
このような動作により、何等の頭髪栄養剤を使用することなく、超音波振動による毛髪Ｈの豊潤軟化と毛髪Ｈへのマイナスイオン浸透によるキューティクル改善作用、コルテックス改善作用が進行して、これにより、毛髪Ｈの簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる。
【００３２】
また、本実施例に係る毛髪トリートメント装置１においては、前記前記超音波スイッチ１５、イオンスイッチ１６の操作選択で、毛髪Ｈに対する超音波振動とマイナスイオンとの同時付与、超音波振動のみの付与、マイナスイオンのみの付与という多様な態様でのトリートメントを実現することもできる。
【００３３】
本実施例に係る毛髪トリートメント装置１における毛髪Ｈのトリートメントの態様としては、ストレート、クリニック、カール等の諸態様を挙げることができ、いずれの場合も簡略、かつ、適正なトリートメントを実現することができる。
【００３４】
また、図示しないが、本実施例に係る毛髪トリートメント装置１に温度調節可能なヒータ部を搭載し、毛髪Ｈを所望温度に加熱しつつ上述した本実施例のトリートメント操作を実行すれば、より効果的に適正なトリートメントを実現することができる。
【産業上の利用可能性】
【００３５】
本発明に係る髪トリートメント装置は、主として人体の毛髪用として適用されるが、例えば、犬猫等の動物類の毛のトリートメント装置としても応用可能である。
【符号の説明】
【００３６】
１    毛髪トリートメント装置
２    装置本体
３    トリートメント握り片
３ａ  髪押圧部
４    トリートメント握り片
４ａ  髪受部
５    軸支部
６    操作部
７    動作スイッチ
８    突片
９    偏平円板
１１    電力供給部
１２    ＡＣプラグ
１３    ＡＣ・ＤＣアダプタ
１４    電源ケーブル
１４ａ  絡み防止接続機構部
１５    超音波スイッチ
１５ａ  超音波発生ランプ
１６    イオンスイッチ
１６ａ  マイナスイオン発生ランプ
１６ｂ  イオンランプ
１６ｃ  プラスイオン発生ランプ
１７    電源ランプ１７
２１    超音波発生手段
２２    イオン発生手段
２３    電源回路部
２４    プログラムメモリ
２５    制御部
Ｈ    毛髪
【図１】
2010194127.tif 000003
【図２】
2010194127.tif 000004
【図３】
2010194127.tif 000005
【図４】
2010194127.tif 000006
【図５】
2010194127.tif 000007
【図６】
2010194127.tif 000008